(57)【特許請求の範囲】
【請求項１】
目地を介して隣接する左右の床に差し渡されて該目地を覆うカバー主体の左右側縁部に、目地の幅方向に沿って進退可能な可動性通水側部体を、付勢手段を介して常時外側方に付勢するようにして配設したことを特徴とする床用目地カバー体。
【請求項２】
カバー主体の左右側縁に沿って適宜数の縁取り側板を配設し、その各縁取り側板毎に複数の摺動軸の基部を固着する一方、
前記摺動軸が固着された縁取り側板の内側に位置する縁取り側板と、カバー主体の左右端板と、該両端板の内側に対向配置された軸受板とに幅方向で一致する一連の貫通孔を夫々形成し、この各一連の貫通孔に前記各摺動軸を夫々進退可能に挿通させるとともに、抜け止め手段を介してその抜け止めを行ない、さらに各摺動軸と軸受板との間に介装したばね部材からなる付勢手段を介して、各摺動軸を常時外側方に付勢することにより、前記可動性通水側部体を構成したことを特徴とする請求項１に記載した床用目地カバー体。
【請求項３】
各縁取り側板と、カバー主体の左右端板間の任意の位置に単一もしくは複数の副縁取り側板を介装し、該副縁取り側板を隣接する縁取り側板または前記端板に固定するとともに、他の縁取り側板の摺動軸が挿通する貫通孔を該副縁取り側板に形成するようにしたことを特徴とする請求項２に記載した床用目地カバー体。
【発明の詳細な説明】
【０００１】
【発明の属する技術分野】
本発明は、排水機能を備え、かつ、受枠に対する着脱を容易になし得る床用目地カバー体に関する。
【０００２】
【従来の技術】
隣接する床間に生じる目地を被覆する床用目地カバー装置にあって、厚みのあるカバー体を使用し得るようにした床用目地カバー装置は、本願出願人によって先に考案され、実開平３−７４７０４号公報に開示されている。
【０００３】
この床用目地カバー装置を、図８について簡単に説明すると、
目地ｓを介して隣接する左右の床ｆ，ｆ上に夫々固定される固定枠ａ，ａと、該固定枠ａ，ａの外端部に回動機構ｊ，ｊを介して開閉可能に連結されて上部を側部カバーｂ，ｂとする可動枠ｃ，ｃとによって受枠体ｄ，ｄを構成し、前記固定枠ａ，ａにカバー体ｅの両端縁ｇ，ｇを摺動可能に支持させ、かつ、その上面に前記側部カバーｂ，ｂを被着することにより両受枠体ｄ，ｄ間にカバー体ｅを差し渡し、該カバー体ｅにより目地ｓを覆うようにしている。また、固定枠ａ，ａとカバー体ｅの左右側縁との間には、一端が固定枠ａに固定されたばねｒ，ｒが介装されており、その弾発力によってカバー体ｅを目地ｓの中央位置に保持するようにしている。
【０００４】
ここで前記カバー体ｅの厚みは任意に設定可能であるので、浅底状箱枠ｈ内に床仕上材ｉを充填し得る構成を備えた厚みのあるカバー体ｅが使用可能であり、該カバー体ｅは、可動枠ｃ，ｃを回動機構ｊ，ｊを介して上方に回動させた状態で着脱可能となる。このため、可動枠ｃ，ｃとその側部の床面との間に該可動枠ｃ，ｃを回動させ得る操作空隙ｋ，ｋが形成してあり、常時はシーリング材ｎを充填して該操作空隙ｋ，ｋを遮蔽するようにしている。
【０００５】
【発明が解決しようとする課題】
ところで、このような構成からなる従来の床用目地カバー装置は、人工地盤での使用に適しているが、床面上から目地ｓ内へ汚水等を導いて排出する排水機能を備えておらず、従来は逆に目地ｓ間に止水板ｐを張設して目地ｓ内への汚水等の流入を防止するようにしていた。
【０００６】
ここで、仮に、止水板ｐを除去して目地ｓ内に通水樋を配設するとともに、可動枠ｃ，ｃを除去して目地ｓと連通する通水間隙を開口させれば、該通水間隙から前記通水樋へ汚水等を導いて排水することが可能となるが、可動枠ｃ，ｃを除去すると大きな開口部が生じるため、歩行者が足を取られる危険があり、さらに、可動枠ｃ，ｃの下部に配設されたばねｒ，ｒが丸見えとなって見栄えが悪い等の不具合がある。
【０００７】
また、前記ばねｒ，ｒは、固定枠ａ，ａとカバー体ｅの左右側縁との間に圧縮状態で介装されるものであるため、受枠体ｄ，ｄへのカバー体ｅの装着時に、該ばねｒ，ｒを圧縮させて保持し、この状態で受枠体ｄ，ｄ間にカバー体ｅを差し渡すようにして装着する必要があり、このため、その装着操作が極めて面倒であった。
【０００８】
さらに、保守点検や交換等でカバー体ｅを取り外す場合には、操作空隙ｋ，ｋに充填されたシーリング材ｎを除去しなければ可動枠ｃ，ｃを上方に回動させることができず、作業後に再びシーリング材ｎで操作空隙ｋ，ｋを埋め戻しているため、保守点検時や交換時等におけるカバー体ｅの着脱作業が面倒であった。
【０００９】
本発明は、かかる従来の実状の改善を試みたものであり、排水機能を備え、受枠に対する着脱を容易に行ない得る床用目地カバー体の提供を目的とするものである。
【００１０】
【課題を解決するための手段】
本発明は、目地を介して隣接する左右の床に差し渡されて該目地を覆うカバー主体の左右側縁部に、目地の幅方向に沿って進退可能な可動性通水側部体を、付勢手段を介して常時外側方に付勢するようにして配設したことを特徴とするものである。
【００１１】
かかる手段にあって、カバー主体の左右側縁に沿って適宜数の縁取り側板を所定間隔で配設し、その各縁取り側板毎に複数の摺動軸の基部を固着する一方、
前記摺動軸が固着された縁取り側板の内側に位置する縁取り側板と、カバー主体の左右端板と、該両端板の内側に対向配置された軸受板とに幅方向で一致する一連の貫通孔を夫々形成し、この各一連の貫通孔に前記各摺動軸を夫々進退可能に挿通させるとともに、抜け止め手段を介してその抜け止めを行ない、さらに各摺動軸と軸受板との間に介装したばね部材からなる付勢手段を介して、各摺動軸を常時外側方に付勢することにより、前記可動性通水側部体を構成したものが好適な実施態様として提案され得る。ここで、前記縁取り側板は単一もしくは複数本設けることができる。
【００１２】
また、上記実施態様において、各縁取り側板と、カバー主体の左右端板間の任意の位置に単一もしくは複数の副縁取り側板を介装し、該副縁取り側板を隣接する縁取り側板または前記端板に固定するとともに、他の縁取り側板の摺動軸が挿通する貫通孔を該副縁取り側板に形成するようにして可動性通水側部体を構成することもできる。
【００１３】
この構成にあって、カバー主体の左右側縁部に配設された可動性通水側部体を構成する適宜数の縁取り側板によって通水間隙が形成されるため、該通水間隙から雨水や床掃除の汚水等を目地内に流入させ、排水することができる。
【００１４】
また、前記可動性通水側部体の縁取り側板によって、カバー主体の左右側縁部に大きな開口部が生じないため、歩行者が足を取られる等の危険が防止される。
【００１５】
さらに、カバー主体は、左右の受枠に上方から被着するだけで装着可能であり、上方にそのまま引き上げるだけで開放できるため、その着脱を容易に行なうことができる。
【００１６】
また、隣接する左右の床が目地幅を狭める方向に相対変位した場合に、可動性通水側部体が収縮してその相対変位を吸収することができるが、該可動性通水側部体を常時外側方に付勢するばね部材からなる付勢手段がカバー主体の内部に配設されており、該付勢手段が外部から見えないため見栄えがよいものとなる。
【００１７】
【発明の実施の形態】
本発明の一実施例を図１〜図５について説明する。
図面において、ｆ，ｆは人工地盤を構成する左右の床であって、目地ｓを介して隣接している。該床ｆ，ｆの隅部Ｂ，Ｂには、受枠２，２が前記目地ｓの長手方向に沿って左右一対に配設されている。この受枠２，２は、垂直縁２ａ，２ａと該垂直縁２ａ，２ａの下端に内方突成された水平受縁２ｂ，２ｂとによって断面Ｌ形に形成されており、夫々アンカー３，３を介して床ｆ，ｆに固定されている。
【００１８】
前記水平受縁２ｂ，２ｂの内端の下部位置には、左右の床ｆ，ｆの上部内側面に配設された側縁プレート４，４に断面Ｌ形の支持プレート５，５が固着されており、該支持プレート５，５に遮水性を備えた案内シート６，６の上端縁が夫々固定されている。また、該案内シート６，６の下端縁は、目地ｓ内にその長手方向に沿って配設された通水樋（図示省略）内に垂下され、該案内シート６，６によって目地ｓの上部から流入した汚水等を通水樋内に導くようにしている。
【００１９】
そして、前記受枠２，２には、本発明に係る床用目地カバー体１が差し渡され、目地ｓを遮蔽している。この床用目地カバー体１の構成について詳細に説明する。
【００２０】
床用目地カバー体１は、カバー主体７と、該カバー主体７の左右側縁部に夫々配設された可動性通水側部体８，８とから成る。カバー主体７は、底板９とその周囲を囲繞する左右端板１０，１０及び前後端板１１，１１とによって浅底の箱枠状に構成されており、その内部は仕切板１２によって上下に区画されて、モルタルｍ等の床仕上材２３が充填される凹部１３の下部に、作動空隙１４が形成されている。また、該作動空隙１４内には、その左右両側位置に所定間隔で対設された各一対の軸受板１５ａ，１５ｂが前記左右端板１０，１０に対向させて夫々配置されている。
【００２１】
一方、カバー主体７の左右側縁部には、本実施例にあっては、外側から順に夫々３本の縁取り側板１６ａ，１６ｂ，１６ｃがカバー主体７の左右端板１０，１０に沿って所定間隔で配設され、図２に示すように、その各縁取り側板１６ａ，１６ｂ，１６ｃ毎に複数の摺動軸１７の基部が夫々固着されている。
【００２２】
また、前記各摺動軸１７が固着された縁取り側板１６ａ，１６ｂ，１６ｃの内側に位置する縁取り側板１６ｂ，１６ｃ、即ち、縁取り側板１６ａに対する縁取り側板１６ｂ，１６ｃ及び縁取り側板１６ｂに対する縁取り側板１６ｃと、カバー主体７の左右端板１０，１０と、該両端板１０，１０の内側に対向配置された軸受板１５ａ，１５ｂとには、各縁取り側板１６ａ，１６ｂ，１６ｃ毎に固着した各摺動軸１７を挿通可能な幅方向で一致する一連の貫通孔１８が夫々形成されている。
【００２３】
そして、この一連の各貫通孔１８に前記各摺動軸１７が進退可能に挿通され、さらに、各摺動軸１７には抜け止め手段を介してその抜け止めが施されている。該抜け止め手段は、各摺動軸１７の所定位置に嵌合リング１９を嵌着することによって構成されており、該嵌合リング１９を前記軸受板１５ａ，１５ｂの内、外側に位置する軸受板１５ａの内側面に当接させることにより、各摺動軸１７の抜け止め作用を得るようにしている。
【００２４】
さらに、各摺動軸１７には、付勢手段としてのコイルばねからなるばね部材２０が外嵌されている。各ばね部材２０は、前記嵌合リング１９と、内側に位置する軸受板１５ｂとの間に圧縮状態で介装されており、このばね部材２０の弾発力によって各摺動軸７を常時外側方に付勢するようにしている。
【００２５】
また、前記各縁取り側板１６ａ，１６ｂ，１６ｃの下側面には、図２に示すように、各縁取り側板１６ａ，１６ｂ，１６ｃ毎に複数の脚杆２１の基部が固着されており、各脚杆２１の先端は、夫々内側方に水平に延出されてカバー主体７の底板９の下側面に摺接するようになっている。
【００２６】
而して、前記縁取り側板１６ａ，１６ｂ，１６ｃ、摺動軸１７、抜け止め手段、付勢手段等によって、目地の幅方向に沿って進退可能で常時外側方に付勢された可動性通水側部体８，８が構成される。また、各縁取り側板１６ａ，１６ｂ，１６ｃの間、及び縁取り側板１６ｃとカバー主体７の端板１０との間に複数の通水間隙２２が形成されることとなる。
【００２７】
また、カバー主体７の前記凹部１３には、周囲の床ｆ，ｆに敷設される床仕上材２３と同一のモルタルｍ及びタイルｔ等からなる床仕上材２３が充填される。
【００２８】
これにより、床用目地カバー体１が構成される。そして、この床用目地カバー体１を、左右の受枠２，２に上方から被着し、図１に示すように、該受枠２，２の水平受縁２ｂ，２ｂに前記脚杆２１を支持させて、両受枠２，２間に差し渡すことにより目地ｓを覆うようにしている。ここで、床用目地カバー体１の横幅は、左右の受枠２，２の垂直縁２ａ，２ａの相互間隔と略同一に設けられており、床用目地カバー体１を受枠２，２に被着した時に、最も外側に位置する左右の縁取り側板１６ａ，１６ａが受枠２，２の垂直縁２ａ，２ａに近接するようになっている。またこの状態において、カバー主体７の底板９と水平受縁２ｂ，２ｂとの間には、脚杆２１によって通水用の間隙２４が生ずることとなる。尚、図１に示すように、水平受縁２ｂ，２ｂの上面にゴム板からなる緩衝部材２５，２５を敷設し、該緩衝部材２５，２５上に脚杆２１を乗載するようにしてもよい。
【００２９】
また、前記床用目地カバー体１は、所定の長さ寸法に形成されており、これを目地ｓに沿って複数枚連続して配設するようにしている。
【００３０】
この被着状態にあって、前記通水間隙２２と、脚杆２１によって生じる間隙２４とにより、通水間隙２２から目地ｓ内に至る通水路が形成される。そして周囲の床ｆ，ｆ上及び床用目地カバー体１上の雨水や床掃除の汚水等を、該通水路を介して目地ｓ内の通水樋に流入させ、排水することができる。
【００３１】
また、保守点検や交換時、或は通水樋の清掃時等において、床用目地カバー体１を着脱する場合には、該床用目地カバー体１が左右の受枠２，２に上方から被着してあるだけなので、上方にそのまま引き上げるだけで開放でき、その着脱を容易に行なうことができる。
【００３２】
一方、左右の床ｆ，ｆの相対変位に対する目地カバー装置としての追従機能としては、床ｆ，ｆが左右方向で目地幅を狭める方向に相対変位した場合には、図３に示すように、まず、最も外側に位置する左右の縁取り側板１６ａ，１６ａが受枠２，２の垂直縁２ａ，２ａに押されて内方に夫々移動し、その内側に位置する縁取り側板１６ｂ，１６ｂに当接する。さらに、縁取り側板１６ａ，１６ａが垂直縁２ａ，２ａに押されると、図４に示すように、該縁取り側板１６ａ，１６ａと共に縁取り側板１６ｂ，１６ｂが押されて内方に移動し、その内側に位置する縁取り側板１６ｃ，１６ｃに当接する。そして、さらに縁取り側板１６ａ，１６ａが垂直縁２ａ，２ａに押されると、図５に示すように、該縁取り側板１６ａ，１６ａと共に縁取り側板１６ｂ，１６ｂ及び縁取り側板１６ｃ，１６ｃが押されて内方に移動し、カバー主体７の端板１０，１０に当接する。これにより、床ｆ，ｆの目地幅を狭める方向の相対変位が吸収される。そして、各縁取り側板１６ａ，１６ｂ，１６ｃは夫々ばね部材２０によって常時外側方に付勢されていることにより、左右の床ｆ，ｆが旧位置に戻ると、各縁取り側板１６ａ，１６ｂ，１６ｃも旧位に復する。また、前記ばね部材２０の弾発力によって床用目地カバー体１は目地ｓの中央位置に保持されることとなる。
【００３３】
また、逆に床ｆ，ｆが左右方向で目地幅を広げる方向に相対変位した場合には、床用目地カバー体１が脚杆２１を介して受枠２，２の水平受縁２ｂ，２ｂ上を摺動し、該床用目地カバー体１と受枠２，２とが相対的に左右移動することにより、前記床ｆ，ｆの目地幅を広げる方向への相対変位に追従する。
【００３４】
一方、床ｆ，ｆが前後方向（目地ｓに沿う方向）に相対変位した場合には、床用目地カバー体１が脚杆２１を介して受枠２，２の水平受縁２ｂ，２ｂ上を摺動し、該床用目地カバー体１と受枠２，２とが相対的に前後移動することにより、前記床ｆ，ｆの相対変位に追従する。また、床ｆ，ｆが上下方向に相対変位した場合には、受枠２，２の高低差により床用目地カバー体１が傾斜して、その相対変位に追従する。従って、床用目地カバー体１は床ｆ，ｆの前後左右及び上下方向の各相対変位に追従し、目地ｓを支障なく覆うことができる。
【００３５】
尚、上記実施例では、カバー主体７の左右側縁に沿って３本の縁取り側板１６ａ，１６ｂ，１６ｃを夫々配設した場合について説明したが、該縁取り側板は１本もしくはそれ以上の適宜数とすることができる。
【００３６】
図６は、可動性通水側部体８の構成を一部変更した実施例を示すものであって、該可動性通水側部体８の外端に側部カバー２６を配設したものである。該側部カバー２６は、最も外側に位置する縁取り側板１６ａの上端に一端が固着され、他端を外側方に突成して、受枠２の垂直縁２ａに連成された上部受縁２ｃ上に延出されている。
【００３７】
この構成によって、床ｆ，ｆが左右方向で目地幅を広げる方向に相対変位した場合に、縁取り側板１６ａと、受枠２の垂直縁２ａとの間に生ずる隙間を前記側部カバー２６によって遮蔽し得るようにしている。
【００３８】
図７は、可動性通水側部体８の構成を一部変更した他の実施例を示すものであって、図７イは、カバー主体７の左右端板１０に沿って配設された３本の縁取り側板１６ａ，１６ｂ，１６ｃの内、最も外側に位置する縁取り側板１６ａと、その内側に位置する縁取り側板１６ｂとの間に副縁取り側板１６ｄを介装し、該副縁取り側板１６ｄを最も外側に位置する縁取り側板１６ａの摺動軸１７に固着したものである。これにより、縁取り側板１６ａと副縁取り側板１６ｄとの間に常時開口された通水間隙２２’が形成されている。
【００３９】
かかる構成にあって、床ｆ，ｆが左右方向で目地幅を狭める方向に相対変位した場合において、受枠２の垂直縁２ａに押されて各縁取り側板１６ａ，１６ｂ，１６ｃが内方に最後まで移動しても、縁取り側板１６ａと、副縁取り側板１６ｄとの間に形成された通水間隙２２’が狭まらず、汚水等の通水路を確保し得るようにしている。
【００４０】
図７ロは、最も内側に位置する縁取り側板１６ｃと、カバー主体７の左右端板１０との間に副縁取り側板１６ｄを介装し、該副縁取り側板１６ｄと左右端板１０とを連結杆２７によって連結するとともに、副縁取り側板１６ｄに貫通孔１８’を形成して摺動軸１７を挿通させるようにしたものである。これにより、副縁取り側板１６ｄと左右端板１０との間に常時開口された通水間隙２２’が形成される。この構成にあっても、上記と同様に汚水等の通水路が確保され得る。
【００４１】
図７ハは、最も外側に位置する縁取り側板１６ａの内側に前記イの構成と同様の副縁取り側板１６ｄを配設し、かつ、カバー主体７の左右端板１０の外側に前記ロの構成と同様の副縁取り側板１６ｄを配設したものである。これにより、当該二箇所に常時開口された通水間隙２２’が形成されている。この構成にあっても、上記と同様に汚水等の通水路が確保され得る。
【００４２】
尚、前記図７イ，ロ，ハに示した構成においては、単一の副縁取り側板１６ｄを介装した場合について説明したが、該副縁取り側板１６ｄを所定間隔で複数本介装することも可能である。
【００４３】
また、前記各実施例においては、内部に床仕上材２３を充填することができるようにカバー主体７を浅底の箱枠状に構成するようにしているが、該カバー主体７は、天板の周側部に端板を配設して構成することも可能である。
【００４４】
【発明の効果】
本発明は、上述のように、目地ｓを介して隣接する左右の床ｆ，ｆに差し渡されて該目地ｓを覆うカバー主体７の左右側縁部に、目地ｓの幅方向に沿って進退可能な可動性通水側部体８，８を、付勢手段を介して常時外側方に付勢するようにして配設したから、該可動性通水側部体８，８によって、左右の床ｆ，ｆの相対変位に対する追従機能が得られるとともに、雨水や床掃除の汚水等を床面上から目地ｓ内に導いて排水する排水機能が得られる。
【００４５】
また、カバー主体７は、左右の受枠２，２に上方から乗載するだけで被着され、そのまま上方に引き上げるだけで開放できるので、保守点検や交換時、或は通水樋の清掃時等において、その着脱を容易に行なうことができる。
【００４６】
さらに、可動性通水側部体８，８を、常時外側方に付勢するばね部材２０からなる付勢手段が、カバー主体７の内部に配設されていることにより、該付勢手段外部から見えず、見栄えがよい等の優れた効果がある。
【図面の簡単な説明】
【図１】本発明に係る床用目地カバー体の施工状態を示す縦断側面図である。
【図２】床用目地カバー体の要部の分解斜視図である。
【図３】可動性通水側部体の作用説明図である
【図４】可動性通水側部体の作用説明図である
【図５】可動性通水側部体の作用説明図である
【図６】可動性通水側部体の他の実施例を示す要部の縦断側面図である。
【図７】可動性通水側部体のその他の実施例を示す要部の縦断側面図である。
【図８】従来構成の目地カバー装置の施工状態を示す縦断側面図である。
【符号の説明】
ｆ  床
ｓ  目地
１  床用目地カバー体
７  カバー主体
８  可動性通水側部体
１０  左右端板
１５ａ，１５ｂ  軸受板
１６  縁取り側板
１７  摺動軸
１８  貫通孔
１９  嵌合リング（抜け止め手段）
２０  ばね部材（付勢手段）
【図１】
0003742694.tif 000002
【図２】
0003742694.tif 000003
【図３】
0003742694.tif 000004
【図４】
0003742694.tif 000005
【図５】
0003742694.tif 000006
【図６】
0003742694.tif 000007
【図７】
0003742694.tif 000008
【図８】
0003742694.tif 000009